(57)【要約】【課題】  構造的に簡単、かつ、部品数を少なくし、必要に応じて開口を開閉し、内容液の無駄をなくすことのできる刷毛付き塗布容器を提供すること。【解決手段】  塗布液を収容した容器と、容器の口筒部に装着され、中央に注出孔を穿設した中栓と、中栓の内方に載置される弁部材と、中栓の上部に装着される刷毛を具えた塗布部材と、塗布部材に装着された押しピンと、塗布部材を覆うキャップとを備えた刷毛付き塗布容器であって、塗布部材は、内周で押しピンの上下動を案内する案内筒と、案内筒の外周上端部に連設された上壁と、上壁下面に垂設され、中栓の上部に係合する係合筒と、上壁上面に多数立設された刷毛とを具えていることを特徴とする。【選択図】  図１
2008136917.tif 000002
【特許請求の範囲】
【請求項１】
塗布液を収容した容器と、容器の口筒部に装着され、中央に注出孔を穿設した中栓と、中栓の内方に載置される弁部材と、中栓の上部に装着される刷毛を具えた塗布部材と、塗布部材に装着された押しピンと、塗布部材を覆うキャップとを備えた刷毛付き塗布容器であって、
塗布部材は、内周で押しピンの上下動を案内する案内筒と、案内筒の外周上端部に連設された上壁と、上壁下面に垂設され、中栓の上部に係合する係合筒と、上壁上面に多数立設された刷毛とを具えていることを特徴とする刷毛付き塗布容器。
【請求項２】
弁部材は、中栓の上部内周に係合する係合筒と、係合筒の内周に連設された弁壁とからなり、
弁壁には、スリットが形成され、
押しピンは、塗布部材の案内筒の内周との間で内容液が流れるように形成されるとともに、上部が塗布部材の上壁上面よりある程度の高さに突出するように形成されたピン部と、ピン部の下端から段部を形成して連設された押し部とからなることを特徴とする請求項１記載の刷毛付き塗布容器。
【請求項３】
弁部材は、中栓の上部内周に係合する係合筒と、係合筒の内周に連設され、中央に係合孔が穿設された弁壁とからなり、
押しピンは、塗布部材の案内筒の内周との間で内容液が流れるように形成されるとともに、上部が塗布部材の上壁上面よりある程度の高さに突出するように形成されたピン部と、ピン部の下端から段部を形成して連設された押し部と、押し部の下端に連設され、側周が弁部材の係合孔内周と係合する係合突部とからなることを特徴とする請求項１記載の刷毛付き塗布容器。
【請求項４】
押し部の外周に、縦方向に延びる液溝が複数凹設されていることを特徴とする請求項２、３記載の刷毛付き塗布容器。
【発明の詳細な説明】
【技術分野】
【０００１】
本発明は、刷毛付き塗布容器、とくに容器を倒立し、刷毛を塗布面に当接し、内容液を塗布面に塗布する刷毛付き塗布容器に関するものである。
【背景技術】
【０００２】
容器口部に、注出口の周辺に刷毛を立設した塗布部材を被嵌し、容器を倒立して刷毛を塗布面に当接し押付け、必要な量の内容液を所定の場所に塗布することができる刷毛付き塗布容器は従来より知られている（例えば、特許文献１参照）。
【特許文献１】特開２００４−２５０６５
【発明の開示】
【発明が解決しようとする課題】
【０００３】
しかしながら、上記特許文献１記載の刷毛付き塗布容器は、キャップを外した後、容器を倒立し、注出口を開くために、バネ（ｓ）により塗布部材を上動させ、開孔（１９）を開けた後、作動杆（２３）およびボール弁（２２）により開口しているために、構造的に複雑であり、部品数も多かった。
【０００４】
本発明は、上記の問題を解決することを課題とし、構造的に簡単、かつ、部品数を少なくし、必要に応じて開口を開閉し、内容液の無駄をなくすことのできる刷毛付き塗布容器を提供することを目的とする。
【課題を解決するための手段】
【０００５】
本発明は、上記の課題を解決するため、刷毛付き塗布容器として、塗布液を収容した容器と、容器の口筒部に装着され、中央に注出孔を穿設した中栓と、中栓の内方に載置される弁部材と、中栓の上部に装着される刷毛を具えた塗布部材と、塗布部材に装着された押しピンと、塗布部材を覆うキャップとを備えた刷毛付き塗布容器であって、塗布部材は、内周で押しピンの上下動を案内する案内筒と、案内筒の外周上端部に連設された上壁と、上壁下面に垂設され、中栓の上部に係合する係合筒と、上壁上面に多数立設された刷毛とを具えていることを特徴とする構成を採用する。
【０００６】
弁部材と押ピンの実施例として、弁部材は、中栓の上部内周に係合する係合筒と、係合筒の内周に連設された弁壁とからなり、弁壁には、スリットが形成され、押しピンは、塗布部材の案内筒の内周との間で内容液が流れるように形成されるとともに、上部が塗布部材の上壁上面よりある程度の高さに突出するように形成されたピン部と、ピン部の下端から段部を形成して連設された押し部とからなることを特徴とする構成を採用する。
【０００７】
弁部材と押ピンの別実施例として、弁部材は、中栓の上部内周に係合する係合筒と、係合筒の内周に連設され、中央に係合孔が穿設された弁壁とからなり、押しピンは、塗布部材の案内筒の内周との間で内容液が流れるように形成されるとともに、上部が塗布部材の上壁上面よりある程度の高さに突出するように形成されたピン部と、ピン部の下端から段部を形成して連設された押し部と、押し部の下端に連設され、側周が弁部材の係合孔内周と係合する係合突部とからなることを特徴とする構成を採用する。
【０００８】
押し部の実施例として、押し部の外周に、縦方向に延びる液溝が複数凹設されていることを特徴とする構成を採用する。
【発明の効果】
【０００９】
容器を倒立した後に、塗布部材に上下動可能に装着した押しピンを、所望の塗布面に塗布部材の刷毛とともに当接し、押し込むことで弁部材を変形させて開口が形成され、また、塗布面と押しピンの当接を解くと、弁部材の復元力により開口を閉じることができるので、必要に応じて内容液の注出口を開閉することができ、内容液を無駄なく所望の塗布面に塗布することができるようになった。
【発明を実施するための最良の形態】
【００１０】
次に、本発明の刷毛付き塗布容器について実施例をあげ、図面を参照して説明する。
【実施例１】
【００１１】
図１において、Ａは容器、Ｂは容器に嵌着された中栓、Ｃは中栓Ｂの内方に装着された弁部材、Ｄは中栓Ｂの上部に装着される塗布部材、Ｅは塗布部材Ｄの内方に上下動可能に装着される押しピン、Ｆはキャップである。
容器Ａには、液体或いはクリーム状の薬液、化粧料、洗剤等が収容され、内容液の塗布容器として使用される。
【００１２】
容器Ａは、可撓性のある合成樹脂によって成形され、口筒部１と胴部２を具えている。
口筒部１には、上端に中栓Ｂを装着する係合筒部３が設けられ、外周にキャップＦを螺着するねじ４が刻設されている。
【００１３】
中栓Ｂは、中央に注出孔５を穿設した上壁６と、上壁６の下面に垂設され、容器Ａの口筒部１の係合筒部３内周に外周が係合する内筒７と、上壁６の外縁に垂設され、内周に係合筒部３の外周に係合する係合部８を設けた外筒９と、上壁６の上面に立設された上筒１０とを具えている。
上壁６の側周上部には、キャップＦと係合する係合突部１１が設けられている。
上筒１０の内周上部には、塗布部材Ｄを装着する凹部１２が設けられている。
【００１４】
弁部材Ｃは、柔軟性のある合成樹脂で形成され、図１、２に示すように、外周が中栓Ｂの上筒１０の内周に係合する係合筒１５と、係合筒１５の内周に連設された下方に膨出するドーム形の弁壁１６とからなっている。
弁壁１６には、スリット１７が形成されている。
【００１５】
塗布部材Ｄは、図１に示すように、内周で押しピンＥの上下動を案内する案内筒２０と、案内筒２０の外周上端部に連設された上壁２１と、上壁２１下面に垂設され、中栓Ｂの上筒１０の上部内周に係合する係合筒２２と、上壁２１上面に多数立設され、一定の柔軟性を有する刷毛２３とを具えている。
係合筒２２の外周には、中栓Ｂの上筒１０の凹部１２と係合する突部２４が配設されている。
【００１６】
押しピンＥは、塗布部材Ｄの案内筒２０の内周との間で内容液が流れるように案内筒２０の内周より僅かに外周が小径に形成されるとともに、上部が塗布部材Ｄの上壁２１上面よりある程度の高さに突出するように形成されたピン部２５と、ピン部２５の下端から段部２６を形成して連設された押し部２７とからなっている。
【００１７】
塗布部材Ｄの案内筒２０内周と押しピンＥのピン部２５外周には、内容液が流れる間隙が形成されるようにそれぞれの径が形成されているが、案内筒２０またはピン部２５のいずれかに頂部がピン部２５外周または案内筒２０内周と摺接するように、縦方向に延びる突部を複数突設するようにしてもよい。
突部を設けることにより案内筒２０とピン部２５のガタつきを抑えて、押しピンＥの上下動を案内することができる。
また、ピン部２５外周を案内筒２０内周に摺動するように形成し、案内筒２０内周またはピン部２５が周に縦方向に延びる液溝を複数凹設するようにして、内容液が流れるようにしてもよい。
【００１８】
キャップＦは、塗布部材Ｄ、および中栓Ｂの上部を被う上キャップ部３０と、上キャップ部３０の下端に連設される容器Ａの口筒部１を被う下キャップ部３１とからなっている。
下キャップ部３１の側周壁の内周には、上部に中栓Ｂの上壁６の係合突部１１が乗り越えて係合する係合突部３２が配設され、その下方に口筒部１のねじ４に螺合するねじ３３が螺設されている。
【００１９】
次に、本実施例の液塗布容器の使用態様と作用効果について説明する。
本実施例の液塗布容器の組立は、塗布部材Ｄの案内筒２０の内周の下方より押しピンＥのピン部２５先端を挿入し、押しピンＥを塗布部材Ｄ内に係合させる。
【００２０】
次に、中栓Ｂの上筒１０内方に、弁部材Ｃを弁壁１６を下向きにして上壁６上面に載置した後、上筒１０の上部に押しピンＥを係合させた塗布部材Ｄを装着する。
その際、弁部材Ｃの係合筒８を、中栓Ｂの上壁６上面と、塗布部材Ｄの係合筒２２下端面とで挟持し、弁部材Ｃを中栓Ｂの上筒１０内に固定する。
また、押しピンＥの段部２６と、塗布部材Ｄの案内筒２０下端面が当接するとともに、押し部２７の下端面が、弁部材Ｃの弁壁１６の上面に当接するようになっている。
【００２１】
キャップＦ内に下方から塗布部材Ｄを装着した中栓Ｂを挿入し、キャップＦ内周の係合突部３２を中栓Ｂの係合突部１１が乗り越えさせ、係合突部１１の下部と係合突部３２の上部とを係合させて、キャップＦ内に中栓Ｂを脱着可能に装着する。
【００２２】
最後に、内容液を充填した容器Ａの口筒部１にキャップＦを螺着すると、キャップＦ内に装着した中栓Ｂが容器Ａの係合筒部３に装着され、液塗布容器の組立が完了する。
【００２３】
次に、本実施例の液塗布容器の使用について説明する。
まず、容器の正立状態でキャップＦを回転させ、容器Ａとの螺着を外すとともに、中栓Ｂの係合突部３２との係合を外し、キャップＦのみを開蓋した後、容器を倒立させる。
その際、容器Ａ内の内容液は、中栓Ｂの上壁６の注出孔５から下に流れ、中栓の上筒１０内の弁部材Ｃの弁壁１６で止められる。
【００２４】
容器を倒立させた状態で、図３に示すように、塗布部材Ｄの刷毛２３とともに押しピンＥのピン部２５先端を所望の塗布面に押付ける。
押しピンＥが押されると、押しピンＥが塗布部材Ｄの案内筒２０内で上方に移動し、押し部２７の上端が、弁部材Ｃの弁壁１６を押し、弁壁１６を変形させる。
【００２５】
弁壁１６が上方に押され、変形すると、弁壁１６のスリット１７が開いて、その開口から内容液が下方に流れ、押しピンＥのピン部２５と、塗布部材Ｄの案内筒２０との間隙より外方に流れ込み、周辺の刷毛２３に広がり、刷毛２３を介して塗布面に均一に塗布することができる。
【００２６】
塗布の状態に応じて、押しピンＥの塗布面に対する押付けを解くと、弁部材Ｃの弁壁１６の復元力により、押しピンＥを押し下げ、塗布部材Ｄの案内筒２０内で下方に移動し、押しピンＥの段部２６と案内筒２０下端面とを当接させて元の状態に戻すとともに、スリット１７の開口を閉じ、内容液の流れを止め、弁部材Ｃより下に残った液を、刷毛２３で塗布面に塗布することができる。
また、必要に応じて、押しピンＥを塗布面に押付けることで、塗布の液量を調整することができる。
【００２７】
使用後は、容器を正立させ、キャップＦを締着することによって容器内を密封し、内容液の乾燥や、揮発を防止する。
【実施例２】
【００２８】
次に、弁部材と押しピンの形状を変更した第２実施例について、説明する。
実施例１と同様の構成部分は、同一の符号をもって図示し、詳しい説明を省略する。
以下相違点を中心に説明する。
【００２９】
図４において、Ａは容器、Ｂは容器Ａに嵌着された中栓、Ｇは中栓Ｂの内方に装着された弁部材、Ｄは中栓Ｂの上部に装着される塗布部材、Ｅａは塗布部材Ｄの内方に上下動可能に装着される押しピン、Ｆはキャップである。
【００３０】
弁部材Ｇは、柔軟性のある合成樹脂で形成され、図４、５に示すように、外周が中栓Ｂの上筒１０の内周に係合する係合筒３５と、係合筒３５の内周に連設され、中央に係合孔３６が穿設された弁壁３７とからなっている。
【００３１】
押しピンＥａは、ピン部２５と、ピン部２５の下端から段部２６を形成して連設された押し部４０と、押し部４０の下端に連設された係合突部４１とからなっている。
押し部４０の外周には、縦方向に延びる液溝４２が複数凹設され、係合突部４１の側周には、弁部材Ｇの係合孔３６内周と係合する係合凹部４３が配設されている。
【００３２】
次に、本実施例の液塗布容器の作用効果について説明する。
本実施例の液塗布容器の組立は、弁部材Ｇの弁壁３７の係合孔３６内方に、押しピンＥａの係合突部４１を挿入し、係合孔３６内周と係合突部４１の係合凹部４３とを係合させる。
次に、弁部材Ｇを係合した押しピンＥａを塗布部材Ｄと係合させた後、塗布部材Ｄを中栓Ｂと係合させ、中栓Ｂの上筒１０内と塗布部材Ｄとの間で弁部材Ｇおよび押しピンＥａを上壁６上面に載置させる。
【００３３】
塗布部材Ｄを装着した中栓Ｂを、第１実施例と同様にキャップＦ内に装着した後、内容液を充填した容器Ａの口筒部１にキャップＦを螺着するとともに、中栓Ｂを容器Ａに装着させて液塗布容器の組立が完了する。
【００３４】
次に、本実施例の液塗布容器の作用効果について説明する。
容器Ａを倒立させ、図６に示すように、塗布部材Ｄの刷毛２３とともに押しピンＥａのピン部２５先端を所望の塗布面に押付けると、押しピンＥａが塗布部材Ｄの案内筒２０内で上方に移動し、押しピンＥａの係合凹部４３と係合した弁部材Ｇの弁壁３７も上方に変形させる。
【００３５】
弁壁３７が変形すると、係合孔３６が拡径し、押しピンＥａの係合凹部４３との間に間隙ができるとともに、押しピンＥａの押し部４０の下端部が係合孔３６内に入り込み、係合孔３６をさらに拡径する。                
係合孔３６が拡径されるので、容器Ａ内の内容液が係合孔３６と係合凹部４３との間隙から押し部４０の液溝４２を通って流れて、内容液を刷毛２３を介して塗布面に均一に塗布することができる。
【００３６】
押しピンＥａの塗布面への押付けを解くと、弁部材Ｇの弁壁３７の復元力により、押しピンＥａを押し下げ、塗布部材Ｄの案内筒２０内で下方に移動し、押しピンＥａの段部２６と案内筒２０下端面とを当接させて元の状態に戻すとともに、係合孔３６が縮径して係合凹部４３と係合し、内容液の流れを止めることができる。
その他、第１実施例と同一の作用効果を得ることができる。
【００３７】
上記実施例の弁部材Ｇの弁壁３７にスリットを入れることにより、弁部材Ｇの弁壁３７の変形を補助し、液の流れる開口を広げることができる。
【００３８】
上記実施例では、押しピンＥａの係合突部４１を、側周の所定の位置に係合凹部４３を凹設し、係合凹部４３が弁部材Ｇの係合孔３６内周と係合するようにしたが、係合孔３６内周と係合して内容液の流路を封鎖可能とできればよいので、係合凹部４３を設けず、弁部材Ｇの係合孔３６の開口と係合する径で側周を形成した突部としてもよい。
【産業上の利用可能性】
【００３９】
本発明は、塗布部材の刷毛とともに押しピンの先端を塗布面に押付けることで、容器内からの内容液の流路を開口し、押しピンの先端の押付けを解くことで内容液の流路を閉鎖することのできる塗布容器を簡単な構成ででき、とくにかゆみ止めなどの医薬品の塗布容器として有効であり、また、各種の塗布容器として広く利用できる。
【図面の簡単な説明】
【００４０】
【図１】本発明第１実施例塗布容器の断面立面図である。
【図２】弁部材の説明図で、（ａ）は上面図、（ｂ）は断面立面図である。
【図３】塗布容器の使用時の説明図で、（ａ）は断面立面図、（ｂ）は（ａ）のＡ−Ａ線断面上面図である。
【図４】本発明第２実施例塗布容器の断面立面図である。
【図５】弁部材と押しピンの説明図で、（ａ）は断面立面図、（ｂ）は下面図である。
【図６】塗布容器の使用時の説明図で、（ａ）は断面立面図、（ｂ）は（ａ）のＡ−Ａ線断面上面図である。
【符号の説明】
【００４１】
Ａ            容器
Ｂ            中栓
Ｃ、Ｇ        弁部材
Ｄ            塗布部材
Ｅ、Ｅａ      押しピン
Ｆ            キャップ
１            口筒部
２            胴部
３            係合筒部
４、３３      ねじ
５            注出孔
６、２１      上壁
７            内筒
８            係合部
９            外筒
１０          上筒
１１、３２、４１  係合突部
１２          凹部
１５、２２、３５  係合筒
１６、３７    弁壁
１７          スリット
２０          案内筒
２３          刷毛
２４          突部
２５          ピン部
２６          段部
２７、４０    押し部
３０          上キャップ部
３１          下キャップ部
３６          係合孔
４２          液溝
４３          係合凹部
【図１】
2008136917.tif 000003
【図２】
2008136917.tif 000004
【図３】
2008136917.tif 000005
【図４】
2008136917.tif 000006
【図５】
2008136917.tif 000007
【図６】
2008136917.tif 000008